(57)【要約】【課題】蛍光ランプ及び代替ランプの双方に給電可能なランプソケット及びそれを用いた照明器具を提供する。【解決手段】ランプソケットＡは、蛍光ランプ、又は蛍光ランプと外形寸法が同寸法に形成された代替ランプの何れかが着脱自在に装着されるものであり、蛍光ランプのランプピンを介して蛍光ランプに高周波電力を供給する給電用端子３，３と、高周波電力と異なる所望の電力を供給する給電用端子４と、給電用端子３，４が収納されたケース１とを備える。代替ランプは、給電用端子４の給電端子片４ｂに接触することによって、給電用端子４から所望の電力が供給される受電用端子を具備する。【選択図】図１
2011171225.tif 000002
【特許請求の範囲】
【請求項１】
蛍光ランプ、又はこの蛍光ランプと外形寸法が同寸法に形成された代替ランプの何れかが着脱自在に装着されるランプソケットであって、
前記蛍光ランプのランプピンを介してこの蛍光ランプに高周波電力を供給する第１の給電用端子と、前記高周波電力と異なる所定の電力を供給する第２の給電用端子と、前記第１及び第２の給電用端子が収納されたソケット本体とを備え、
前記代替ランプは、前記第２の給電用端子に接触することによって、この第２の給電用端子から前記所定の電力が供給される受電用端子を具備することを特徴とするランプソケット。
【請求項２】
前記第２の給電用端子は弾性材料からなり、前記代替ランプが装着された状態では前記第２の給電用端子が前記受電用端子に弾性を有した状態で接触することを特徴とする請求項１記載のランプソケット。
【請求項３】
前記第２の給電用端子を覆うようにして前記ソケット本体に着脱自在に取着されるカバーを備えたことを特徴とする請求項１又は２記載のランプソケット。
【請求項４】
前記第２の給電用端子は、前記ソケット本体のランプ取付面から突出し、押操作に応じて前記第２の給電用端子を前記ランプ取付面から進退自在に露出させる突起部を一体に有し、
前記代替ランプの口金は、前記蛍光ランプの口金に対して少なくとも径方向の一部を突出させて形成した押圧部を一体に有し、
前記代替ランプが装着されていない状態では、前記第２の給電用端子が前記ランプ取付面よりも内側に配置されており、前記代替ランプが装着された状態では、前記押圧部が前記突起部を押すことによって、前記第２の給電用端子が前記ランプ取付面から露出して前記受電用端子に接触することを特徴とする請求項１〜３の何れか１項に記載のランプソケット。
【請求項５】
前記ソケット本体は、前記蛍光ランプ又は前記代替ランプのランプピンを挿通させる挿通孔が設けられ、ランプ側に弾性力が加えられた状態で配置されるプランジャを有し、前記第１の給電用端子を前記挿通孔に臨ませた状態で内部に収納し、
前記蛍光ランプ又は前記代替ランプの口金を前記プランジャに当接させた状態で、ランプと反対側に前記蛍光ランプ又は前記代替ランプを変位させることによって、前記蛍光ランプ又は前記代替ランプが装着されることを特徴とする請求項１〜４の何れか１項に記載のランプソケット。
【請求項６】
前記ソケット本体は、前記蛍光ランプ又は前記代替ランプのランプピンを挿通させる挿通溝が形成され、前記ソケット本体に対してランプ軸方向の回りに回転する回転体を有し、
前記ランプピンを前記挿通溝に挿通させた状態で、前記蛍光ランプ又は前記代替ランプを前記回転体とともに前記ランプ軸方向の回りに回転させることによって、前記蛍光ランプ又は前記代替ランプが装着されることを特徴とする請求項１〜４の何れか１項に記載のランプソケット。
【請求項７】
請求項１〜６の何れか１項に記載のランプソケットと、前記ランプソケットに点灯電力を供給する点灯回路とを備えたことを特徴とする照明器具。
【発明の詳細な説明】
【技術分野】
【０００１】
本発明は、ランプソケット及びそれを用いた照明器具に関するものである。
【背景技術】
【０００２】
従来より、天井面に取り付けられて室内を照明する照明器具が提供されている（例えば特許文献１参照）。この照明器具は、直管形の蛍光ランプと、点灯装置が組み込まれた器具本体と、蛍光ランプを機械的に保持するとともに、点灯装置からの点灯電力を蛍光ランプに供給する２個１組のランプソケットとを備えている。この照明器具では、点灯装置から蛍光ランプに所定の高周波電力を供給することによって、蛍光ランプが所定の輝度で点灯し、室内を照明するのである。
【先行技術文献】
【特許文献】
【０００３】
【特許文献１】特開２０１０−９７９１号公報（段落［００４０］、及び、第８図）
【発明の概要】
【発明が解決しようとする課題】
【０００４】
近年、電力消費の少ないＬＥＤ（発光ダイオード）を光源とし、外形形状及び寸法が直管形の蛍光ランプと同じ代替用のＬＥＤランプが提供されている。しかしながら、上述の特許文献１に示した照明器具では、点灯装置から供給される電力が高周波の交流電力であるため、蛍光ランプについては点灯させることができるものの、直流電力を駆動源とするＬＥＤランプについては点灯装置を交換しなければ点灯させることができなかった。つまり、従来例の照明器具は、蛍光ランプ以外の代替ランプへの給電機能を備えたものではなかった。
【０００５】
本発明は上記問題点に鑑みて為されたものであり、その目的とするところは、蛍光ランプ及び代替ランプの双方に給電可能なランプソケット及びそれを用いた照明器具を提供することにある。
【課題を解決するための手段】
【０００６】
上記課題を解決するために第１の発明のランプソケットは、蛍光ランプ、又はこの蛍光ランプと外形寸法が同寸法に形成された代替ランプの何れかが着脱自在に装着されるランプソケットであって、蛍光ランプのランプピンを介してこの蛍光ランプに高周波電力を供給する第１の給電用端子と、高周波電力と異なる所定の電力を供給する第２の給電用端子と、第１及び第２の給電用端子が収納されたソケット本体とを備え、代替ランプは、第２の給電用端子に接触することによって、この第２の給電用端子から所定の電力が供給される受電用端子を具備することを特徴とするものである。ここに、上記の外形寸法とは、ランプの長さ寸法及び口金のランプソケットへの取付部分に係る寸法のことをいう。
【０００７】
第２の発明のランプソケットは、第１の発明において、第２の給電用端子は弾性材料からなり、代替ランプが装着された状態では第２の給電用端子が受電用端子に弾性を有した状態で接触することを特徴とするものである。
【０００８】
第３の発明のランプソケットは、第１又は第２の発明において、第２の給電用端子を覆うようにしてソケット本体に着脱自在に取着されるカバーを備えたことを特徴とするものである。
【０００９】
第４の発明のランプソケットは、第１〜第３の何れかの発明において、第２の給電用端子は、ソケット本体のランプ取付面から突出し、押操作に応じて第２の給電用端子をランプ取付面から進退自在に露出させる突起部を一体に有し、代替ランプの口金は、蛍光ランプの口金に対して少なくとも径方向の一部を突出させて形成した押圧部を一体に有し、代替ランプが装着されていない状態では、第２の給電用端子がランプ取付面よりも内側に配置されており、代替ランプが装着された状態では、押圧部が突起部を押すことによって、第２の給電用端子がランプ取付面から露出して受電用端子に接触することを特徴とするものである。
【００１０】
第５の発明のランプソケットは、第１〜第４の何れかの発明において、ソケット本体は、蛍光ランプ又は代替ランプのランプピンを挿通させる挿通孔が設けられ、ランプ側に弾性力が加えられた状態で配置されるプランジャを有し、第１の給電用端子を挿通孔に臨ませた状態で内部に収納し、蛍光ランプ又は代替ランプの口金をプランジャに当接させた状態で、ランプと反対側に蛍光ランプ又は代替ランプを変位させることによって、蛍光ランプ又は代替ランプが装着されることを特徴とするものである。
【００１１】
第６の発明のランプソケットは、第１〜第４の何れかの発明において、ソケット本体は、蛍光ランプ又は代替ランプのランプピンを挿通させる挿通溝が形成され、ソケット本体に対してランプ軸方向の回りに回転する回転体を有し、ランプピンを挿通溝に挿通させた状態で、蛍光ランプ又は代替ランプを回転体とともにランプ軸方向の回りに回転させることによって、蛍光ランプ又は代替ランプが装着されることを特徴とするものである。
【００１２】
第７の発明の照明器具は、請求項１〜６の何れか１項に記載のランプソケットと、ランプソケットに点灯電力を供給する点灯回路とを備えたことを特徴とするものである。
【発明の効果】
【００１３】
蛍光ランプ及び代替ランプの双方に給電可能なランプソケット及びそれを用いた照明器具を提供することができるという効果がある。
【図面の簡単な説明】
【００１４】
【図１】実施形態１のランプソケットの分解斜視図である。
【図２】同上の外観斜視図である。
【図３】同上の他の例を示す分解斜視図である。
【図４】同上の他の例を示す外観斜視図である。
【図５】同上に用いられる代替ランプの外観斜視図である。
【図６】実施形態２のランプソケットの分解斜視図である。
【図７】同上の外観斜視図である。
【図８】同上の他の例を示す分解斜視図である。
【図９】同上の他の例を示す外観斜視図である。
【図１０】実施形態１又は実施形態２のランプソケットを用いた照明器具の概略構成図である。
【発明を実施するための形態】
【００１５】
本発明に係るランプソケット及び照明器具の実施形態を図面に基づいて説明する。なお、以下の説明では特に断りがない限り、図１中の矢印ａ−ｂ方向を前後方向、矢印ｃ−ｄ方向を左右方向、矢印ｅ−ｆ方向を上下方向として説明を行う。
【００１６】
（実施形態１）
図１は実施形態１のランプソケットＡの分解斜視図であり、本ランプソケットＡは、ケース１と、プランジャ２と、一対の給電用端子（第１の給電用端子）３，３と、給電用端子（第２の給電用端子）４とを主な構成要素として備える。
【００１７】
ケース１は、前面側が開口する箱状のボディ１０と、ボディ１０の前面開口を閉塞する形でボディ１０に取り付けられるカバー１１とで構成されており、ボディ１０及びカバー１１はともに合成樹脂成形品からなる。
【００１８】
ボディ１０の上壁部１０ａには、電線（図示せず）を挿通させるための複数（図１では３個）の電線挿入孔１０ｄが設けられるとともに、ボディ１０の内部空間を左右方向に３つの領域に分割する絶縁壁１０ｃ，１０ｃが下方に垂下する形で設けられている。また、ボディ１０の左右方向における両側壁部１０ｂ，１０ｂには、図示しない器具本体にランプソケットＡを取り付ける際に器具本体側に設けたリブが挿通される挿通溝１０ｅ，１０ｅが、それぞれ前後方向に沿って設けられている。さらに、ボディ１０の底面部１０ｈには、ばね体５，５の後端部がそれぞれ係止されるばね係止部１０ｆ，１０ｆが前方に突出する形で設けられている。ここに、上記の絶縁壁１０ｃ，１０ｃは、ケース１内に収納される給電用端子３，３と給電用端子４との間の絶縁性を確保するために設けられたものである。
【００１９】
カバー１１は、ボディ１０の前面開口と略同形状に形成された板状のカバー本体１１ａと、カバー本体１１ａのボディ１０側に一体に設けられ、後述するプランジャ２の左右方向への移動を規制するとともに回転を規制するリブ１１ｂとを具備する。カバー本体１１ａには、プランジャ２を挿通させるための円形の挿通孔１１ｃが設けられるとともに、カバー１１をボディ１０に固定するための固定ねじ（図示せず）が挿通する一対のねじ挿通孔１１ｄ，１１ｄが設けられている。また、カバー本体１１ａには、ボディ１０の各挿通溝１０ｅに対応する部位に、各挿通溝１０ｅと連なる切欠溝１１ｅがそれぞれ設けられている。
【００２０】
プランジャ２は、ケース１と同様に合成樹脂成形品からなり、上記のカバー本体１１ａに設けた挿通孔１１ｃよりもわずかに小さい外径寸法に形成された円板状のプランジャ本体２１を有し、プランジャ本体２１のボディ１０側には外鍔２２が一体に設けられている。プランジャ本体２１の前面（機能面）には、蛍光ランプ（図示せず）又は後述の代替ランプ７（図５参照）のランプピンを挿通させる一対のピン挿通孔２１ａ，２１ａが設けられ、さらに両ピン挿通孔２１ａ，２１ａの間には、給電用端子４の一部（給電端子片４ｂ）を前方に露出させるための矩形状の開口窓２１ｂが設けられている。このプランジャ２は、カバー本体１１の挿通孔１１ｃの開口端縁に外鍔２２が当接することで、前方への移動が規制されるようになっている。ここに、本実施形態では、ケース１及びプランジャ２によりソケット本体が構成されている。
【００２１】
各給電用端子３は、それぞれ弾性を有する導電性材料（例えば銅など）からなり、電線挿入孔１０ｄを通してボディ１０内に挿通された電線（点灯電力を供給する点灯回路側からの電線）が電気的に接続される受電端子片３ａと、蛍光ランプ（図示せず）のランプピンを介して蛍光ランプに高周波電力を供給する給電端子片３ｂとが一体に折曲形成されている。そして、これらの給電用端子３，３は、それぞれボディ１０内において絶縁壁１０ｃよりも左右両端寄りに配置される。また、このとき各給電端子片３ｂは、ばね体５により前方に弾性力が加えられた状態にある。
【００２２】
給電用端子４は、給電用端子３と同様に弾性を有する導電性材料（例えば銅など）からなり、電線挿入孔１０ｄを通してボディ１０内に挿通された電線が電気的に接続される受電端子片４ａと、代替ランプ（例えばＬＥＤを光源とし、外形寸法が蛍光ランプと同寸法に形成されたＬＥＤランプなど）７に上記の高周波電力とは異なる電力（例えば直流電力など）を供給する給電端子片４ｂとが一体に折曲形成されている。給電端子片４ｂは、前方に凸となる略く字型に形成されている。この給電用端子４は、ボディ１０内において両絶縁壁１０ｃ，１０ｃ間に配置され、各給電用端子３との間で絶縁性が確保できるようになっている。なお、電線挿入孔１０ｄを通してケース１内に挿通された電線は、例えば半田を用いて各受電端子片３ａ，４ａにそれぞれ接続される。
【００２３】
図２は本実施形態のランプソケットＡを組み立てた状態の外観斜視図であり、このときプランジャ２は、両給電用端子３，３を介してばね体５，５から加えられる弾性力によって前方に押された状態にある。つまり、プランジャ２の外鍔２２が、カバー本体１１の挿通孔１１ｃの開口端縁に当接した状態にある。またこのとき、各給電用端子３の給電端子片３ｂは、それぞれプランジャ本体２１の挿通孔２１ａを臨んだ状態に配置され、給電用端子４の給電端子片４ｂは、プランジャ本体２１の開口窓２１ｂから前方に露出した状態に配置される。そして、この状態から、ばね体５，５のばね反力に抗してプランジャ２を後方に押すことで、プランジャ本体２１を所定量だけケース１内に押し込むことが可能になる。
【００２４】
図５は代替ランプ７の一例であり、各口金７２のランプピン７２ａ，７２ａ間に設けられた受電用端子７２ｂが上記の給電端子片４ｂに接触することで、高周波電力とは異なる所望の電力（例えば直流電力など）が代替ランプ７に供給されるようになっている。なお、代替ランプ７の詳細については後述する。また、蛍光ランプは従来周知であるから、図示及び説明は省略する。
【００２５】
次に、代替ランプ７をランプソケットＡに装着する手順について説明する。ランプピン７２ａ，７２ａをそれぞれ対応する挿通孔２１ａ，２１ａに挿入して口金７２の端面をプランジャ本体２１の前面に当接させる。この状態から、代替ランプ７を後方（ランプソケットＡ側）に押すと、プランジャ２がばね体５，５のばね反力に抗して後方に移動する。そして、この状態から、代替ランプ７の反対側の口金７２を反対側に配置されたランプソケットＡに装着させると、代替ランプ７の取り付けが完了する。
【００２６】
このとき、給電用端子４の給電端子片４ｂは、代替ランプ７の受電用端子７２ｂに弾性を有した状態で接触しているため、給電端子片４ｂと受電用端子７２ｂの接触力を高めることができ、代替ランプ７に点灯電力を確実に供給することができる。なお、蛍光ランプについても、同様の手順を経てランプソケットＡに取り付けられる。
【００２７】
ところで、ランプを接続していない場合や蛍光ランプを接続した場合には、給電端子片４ｂをプランジャ２から露出させておく必要はない。そこで、本実施形態では、プランジャ本体２１の開口窓２１ｂを閉塞できるようにプランジャ本体２１に着脱自在に取着可能なカバー６（図２参照）を設けている。その結果、給電用端子４を使用しない場合には、カバー６によって給電端子片４ｂを覆うことで安全性を向上できる。
【００２８】
次に、図３及び図４は本実施形態のランプソケットＡの他の例を示しており、図１及び図２に示したランプソケットＡでは、給電用端子４の給電端子片４ｂがプランジャ本体２１の開口窓２１ｂから常時露出しているが、本例では接続されるランプが代替ランプ７である場合にのみ給電端子片４ｂが開口窓２１ｂから露出するようになっている。なお、以下の説明において、図１及び図２で示したランプソケットＡと同様の構成については、同一の符号を付して説明は省略する。
【００２９】
本例の給電用端子４は、受電端子片４ａと給電端子片４ｂとが別体に設けられており、さらに給電端子片４ｂの上端部には前方に向かって延長する操作突起（突起部）４ｃが一体に設けられている。また、給電端子片４ｂと操作突起４ｃの間には軸受部４ｄが一体に設けられており、ボディ１０の各絶縁壁１０ｃにそれぞれ設けた軸突起１０ｇ（図３では一方のみ図示）を軸受部４ｄに支持させることで、給電端子片４ｂ及び操作突起４ｃが軸突起１０ｇを中心に回動自在となっている。ここに、給電端子片４ｂは、ばね体５によって後方に引っ張られており、操作突起４ｃが後方に押されていない状態では、受電端子片４ａと給電端子片４ｂとが非接触状態にある。
【００３０】
一方、カバー１１のカバー本体１１ａにおいて上記の操作突起４ｃに対応する部位には、操作突起４ｃを前方に露出させるための挿通孔１１ｆが設けられている。したがって、ランプソケットＡを組み立てた状態では、図４に示すように操作突起４ｃが挿通孔１１ｆから前方に露出した状態となっている。ここに、本実施形態では、カバー本体１１によりランプ取付面が構成されている。
【００３１】
ここで、図５は本例に用いられる代替ランプ７の外観斜視図である。この代替ランプ７は、左右方向に延長された直管形の発光管７１と、発光管７１の長手方向両端部にそれぞれ設けられた口金７２，７２とで構成され、従来周知の蛍光ランプと外形寸法（ランプの長さ寸法及び口金のランプソケットへの取付部分に係る寸法）が同寸法に形成されている。また、各口金７２の外径寸法は蛍光ランプの口金の外径寸法よりも大きく、具体的には、代替ランプ７をランプソケットＡに装着した際に口金７２の端面の外周端縁で上記の操作突起４ｃが押せるような大きさに形成されている。ここに、本実施形態では、口金７２の端面の外周端縁により押圧部が構成されている。
【００３２】
次に、本例のランプソケットＡの動作について説明する。まず、蛍光ランプを装着した場合には、蛍光ランプの口金では操作突起４ｃは押されないため、給電端子片４ｂがばね体５により後方に引っ張られた状態のままであり、したがって給電端子片４ｂはプランジャ本体２１の開口窓２１ｂから露出しない。
【００３３】
一方、代替ランプ７を装着した場合には、口金７２の端面の外周端縁で操作突起４ｃが後方に押されるため、給電端子片４ｂは軸突起１０ｇを中心に回転して前方に突出し、プランジャ本体２１の開口窓２１ｂから露出した状態となる。このとき、操作突起４ｃが後方に押されることで操作突起４ｃが受電端子片４ａに接触し、受電端子片４ａと給電端子片４ｂとが電気的に接続される。そして、給電端子片４ｂが口金７２の受電用端子７２ｂに接触することで、代替ランプ７の両端間に直流電圧が印加され、さらに、この直流電圧が発光管７１内に収納されたＬＥＤに印加されると、ＬＥＤが点灯して発光管７１から光が照射されるのである。
【００３４】
すなわち、代替ランプ７をランプソケットＡに装着した状態では、給電端子片４ｂがプランジャ本体２１の開口窓２１ｂから露出するので、受電用端子７２ｂに給電端子片４ｂを接触させることができて代替ランプ７に点灯電力を供給することができる。また、ランプを装着していない状態や蛍光ランプを装着した状態では、給電端子片４ｂがプランジャ本体２１の開口窓２１ｂから露出していないので、安全性を向上できる。
【００３５】
さらに、本実施形態によれば、蛍光ランプがランプソケットＡに装着された場合には給電用端子（第１の給電用端子）３を介して点灯電力が蛍光ランプに供給され、代替ランプ７がランプソケットＡに装着された場合には給電用端子（第２の給電用端子）４を介して点灯電力が代替ランプ７に供給されるので、蛍光ランプ及び代替ランプ７の双方に給電可能なランプソケットＡを提供することができる。また、本実施形態のようにプランジャ方式のランプソケットＡでは、蛍光ランプ又は代替ランプ７をランプソケットＡに装着させる際にはランプ軸方向にランプを変位させるだけでいいので、蛍光ランプ又は代替ランプ７をランプソケットＡに容易に装着させることができる。
【００３６】
（実施形態２）
本発明に係るランプソケットＡの実施形態２を図６〜図９に基づいて説明する。実施形態１ではプランジャ方式のランプソケットＡについて説明したが、本実施形態では回転方式のランプソケットＡについて説明する。なお、以下の説明において、実施形態１と同様の構成要素には同一の符号を付して説明は省略する。
【００３７】
図６は、本実施形態のランプソケットＡの分解斜視図であり、本ランプソケットＡは、ケース８と、回転子９と、一対の給電用端子（第１の給電用端子）３，３と、給電用端子（第２の給電用端子）４とを主な構成要素として備える。
【００３８】
ケース８は、前面側が開口する箱状のボディ８０と、ボディ８０の前面開口を閉塞する形でボディ８０に取り付けられるカバー８１とで構成されており、ボディ８０及びカバー８１はともに合成樹脂成形品からなる。
【００３９】
ボディ８０の上壁部８０ａから各側壁部８０ｂへの連結部分には、カバー８１側に設けた嵌合突起８１ｅ，８１ｅがそれぞれ嵌合する嵌合部８０ｄ，８０ｄが設けられている。また、各側壁部８０ｂにおいて嵌合部８０ｄの下側には、図示しない器具本体にランプソケットＡを取り付ける際に器具本体側に設けたリブが挿通される挿通溝８０ｅ，８０ｅが、それぞれ前後方向に沿って設けられている。さらに、ボディ８０の底面部８０ｆには、回転子９に嵌合するとともに当該回転子９を保持する嵌合筒部８０ｃが、前方に突出する形で設けられている。
【００４０】
カバー８１は、ボディ８０の前面開口を閉塞する板状のカバー本体８１ａと、端子台８１ｂとを一体に備えるとともに、カバー本体８１ａの前面側には円筒状の端子保持部８１ｃを一体に備えている。端子台８１ｂには、電線（図示せず）を挿通させるための複数（図６では３個）の電線挿入孔８１ｄが前面側に設けられるとともに、左右両端部にはボディ８１側に突出する嵌合突起８１ｅ，８１ｅが設けられている。また、端子保持部８１ｃには、後述の回転子９の筒部９０が挿通される円形の挿通孔８１ｆが前面側に設けられるとともに、蛍光ランプ又は代替ランプ７（図５参照）のランプピンを挿通させるための挿通溝８１ｇが、挿通孔８１ｆに連なる形で下側に設けられている。ここに、ケース１は、ボディ８０の各嵌合部８０ｄに、カバー８１の対応する嵌合突起８１ｅをそれぞれ嵌合させることで組み立てられる。
【００４１】
回転子９は、円板状の回転子本体９１と、上記の嵌合筒部８０ｃに嵌合して回転自在に保持される筒部９０とで一体に構成された合成樹脂成形品からなる。回転子本体９１は、上下方向に沿って形成された挿通溝９１ｂを有し、この挿通孔９１ｂの左右両側には端子確認用の覗き孔９１ａ，９１ａが設けられている。また、筒部９０の上側及び下側の側壁には、回転子本体９１の挿通溝９１ｂに連なる形で挿通溝９０ａ（図６では上側のみ図示）が設けられている。ここに、ランプソケットＡを組み立てた状態では、端子保持部８１ｃの挿通溝８１ｇ、回転子本体９１の挿通溝９１ｂ及び筒部９０の下側の挿通溝９０ａが互いに連なる状態に配置され、蛍光ランプ又は代替ランプ７を装着する際には、下側からこれらの挿通溝８１ｇ、９１ｂ及び９０ａにランプピンを挿通させることになる。
【００４２】
各給電用端子３は、実施形態１と同様に、電線挿入孔８１ｄを通してケース１内に挿通された電線（図示せず）が電気的に接続される受電端子片３ａと、蛍光ランプ（図示せず）のランプピンを介して蛍光ランプに高周波電力を供給する給電端子片３ｂとが一体に折曲形成されている。なお、本実施形態では、受電端子片３ａが所謂速結端子構造を有しているため、電線を電線挿入孔８１ｄに挿入するだけで受電端子片３ａに接続することができる。これらの給電用端子３，３は、それぞれカバー８１（カバー本体８１ａ、端子台８１ｂ及び端子保持部８１ｃ）に設けられた収納凹部（図示せず）内に収納され、給電端子片３ｂが蛍光ランプのランプピンに接触することで、高周波電力が蛍光ランプに供給される。
【００４３】
給電用端子４は、実施形態１と同様に、電線挿入孔８１ｄを通してケース１内に挿通された電線（図示せず）が電気的に接続される受電端子片４ａと、代替ランプ（例えばＬＥＤを光源とし、外形寸法が蛍光ランプと同寸法に形成されたＬＥＤランプなど）７に上記の高周波電力とは異なる電力（例えば直流電力など）を供給する給電端子片４ｂとが一体に折曲形成されている。ここに、本実施形態では、ランプソケットＡにランプを装着する際、ランプピンを上下方向に移動させることから、ランプピンが給電端子片４ｂに接触しないように給電端子片４ｂの先端部分が二股に分かれている（図７参照）。なお、給電用端子４についても、カバー８１に設けられた収納凹部（図示せず）内に収納され、給電端子片４ｂの先端部分を外部に露出させた状態に配置される。また、給電端子片４ｂの後端部にはばね体５が取着されており、給電端子片４ｂは前方に弾性力が加えられた状態にある。
【００４４】
図７は本実施形態のランプソケットＡを組み立てた状態の外観斜視図であり、このとき回転子本体９１は、挿通溝９１ｂが上下方向となるように配置される。またこのとき、端子保持部８１ｃの挿通溝８１ｇ及び筒部９０の挿通溝９０ａも挿通溝９１ｂに連なる状態にある。そして、代替ランプ７に所望の電力を供給する給電用端子４の給電端子片４ｂが、二股に分かれた先端部分を外部に露出させた状態で配置される。
【００４５】
次に、代替ランプ７をランプソケットＡに装着する手順について説明する。口金７２に設けたランプピン７２ａ，７２ａが上下方向に並ぶように代替ランプ７を回転させる。この状態から、上側のランプピン７２ａが端子保持部８１ｃに設けた挿通孔８１ｆの開口端縁に当接するまで、両ランプピン７２ａ，７２ａを挿通溝８１ｇ，９０ａ，９１ｂに挿通させる。なおこのとき、上側のランプピン７２ａは、二股に分かれた給電端子片４ｂの間を通って上側に移動する。上側のランプピン７２ａが挿通孔８１ｆの開口端縁に当接すると、続けて回転子９とともに代替ランプ７をランプ軸方向の回りに回転させる。このとき、受電用端子７２ｂは給電端子片４ｂに接触した状態にある。
【００４６】
そして、代替ランプ７の回転角度が所定の取付角度に到達すると、各ランプピン７２ａが対応する給電端子片３ｂにそれぞれ接触する。なお、蛍光ランプの装着手順は同様であるから、説明は省略する。したがって、蛍光ランプを装着した場合には、各給電端子片３ｂからランプピンを介して高周波電力を蛍光ランプに供給することができ、代替ランプ７を装着した場合には、給電端子片４ｂから受電用端子７２ｂを介して代替ランプ７に所望の電力（例えば直流電力）を供給することができる。なお、本例においても、ランプを装着しない場合には、図示しないカバーによって給電端子片４ｂを覆うようにしてもよい。
【００４７】
次に、図８及び図９は本実施形態のランプソケットＡの他の例を示しており、図６及び図７に示したランプソケットＡでは、給電用端子４の給電端子片４ｂが回転子９の挿通溝９１ｂを通して常時露出しているが、本例では接続されるランプが代替ランプ７である場合にのみ給電端子片４ｂが外部に露出するようになっている。なお、以下の説明において、図６及び図７で示したランプソケットＡと同様の構成については、同一の符号を付して説明は省略する。
【００４８】
本例の給電用端子４は、受電端子片４ａと給電端子片４ｂとが別体に設けられており、さらに給電端子片４ｂの上端部には前方に向かって延長する操作突起（突起部）４ｃが一体に設けられている。また、給電端子片４ｂと操作突起４ｃの間には軸受部４ｄが一体に設けられており、カバー８１の各絶縁壁８１ｊにそれぞれ設けた軸突起８１ｋ（図８では一方のみ図示）を軸受部４ｄに支持させることで、給電端子片４ｂ及び操作突起４ｃが軸突起８１ｋを中心に回動自在となっている。ここに、給電端子片４ｂは、図示しないばね体によって後方に引っ張られており、操作突起４ｃが後方に押されていない状態では、受電端子片４ａと給電端子片４ｂとが非接触状態（図８に示す状態）にある。
【００４９】
一方、カバー８１のカバー本体８１ａの前面には、端子保持部８１ｃに連続して突台部８１ｊが設けられており、この突台部８１ｊの前面には、操作突起４ｃを前方に露出させるための挿通孔８１ｈが設けられている。したがって、ランプソケットＡを組み立てた状態では、図９に示すように操作突起４ｃが挿通孔８１ｈから前方に露出した状態となっている。ここに、本実施形態では、突台部８１ｊ、端子保持部８１ｃ及び回転子９によりランプ取付面が構成されている。なお、本例のランプソケットＡの動作は実施形態１と同様であるから、説明は省略する。
【００５０】
而して、本実施形態によれば、蛍光ランプがランプソケットＡに装着された場合には給電用端子（第１の給電用端子）３を介して点灯電力が蛍光ランプに供給され、代替ランプ７がランプソケットＡに装着された場合には給電用端子（第２の給電用端子）４を介して点灯電力が代替ランプ７に供給されるので、蛍光ランプ及び代替ランプ７の双方に給電可能なランプソケットＡを提供することができる。また、本実施形態のように回転方式のランプソケットＡでは、蛍光ランプ又は代替ランプ７をランプソケットＡに装着させる際には回転子９とともにランプを回転させるだけでいいので、蛍光ランプ又は代替ランプ７をランプソケットＡに容易に装着させることができる。
【００５１】
なお、上述した実施形態１，２において、代替ランプ７のランプピン７２ａ，７２ａは、蛍光ランプと同様に導電性材料で構成してもいいし、また高周波電力については給電の必要がないことから、絶縁性を有する合成樹脂などで構成してもよい。さらに、口金７２の外径寸法は、ランプソケットＡに装着させた際に操作突起４ｃが押せるようになっていればよく、少なくとも一部分のみが大きくなっていればよい。また、実施形態１，２では、代替ランプ７がＬＥＤランプの場合について説明したが、代替ランプ７はＬＥＤランプに限定されるものではなく、他のランプであってもよい。この場合、接続されるランプに対応する点灯電力が給電端子片４ｂから供給されるようにすればよい。
【００５２】
（実施形態３）
実施形態１又は実施形態２で説明したランプソケットＡを用いた照明器具の実施形態を図１０に基づいて説明する。
【００５３】
本実施形態の照明器具は、直管形の蛍光ランプ（図示せず）又は代替ランプ７の何れかが装着される一対のランプソケットＡ，Ａと、これらのランプソケットＡ，Ａに点灯電力を供給する点灯装置Ｂとを備え、点灯装置Ｂは、点灯回路１００と、点灯回路１００と商用電源ＡＣとの間を接続する端子台ＴＢとを具備している。また、点灯回路１００は、蛍光ランプに供給される高周波電力を生成するインバータ回路や、ＬＥＤを光源とする代替ランプ７に供給される直流電力を生成する直流電源回路などを備えている。そして、点灯回路１００から出力された高周波電力は、給電線Ｌ１，Ｌ２を介して各ランプソケットＡに供給される。また、点灯回路１００から出力される直流電力は、給電線Ｌ３を介してランプソケットＡ，Ａ間に供給される。なお、上記の点灯装置Ｂは、図示しない器具本体内に収納される。
【００５４】
而して、本実施形態によれば、実施形態１又は実施形態２で説明したランプソケットＡを用いることによって、蛍光ランプ及び代替ランプ７の双方に給電可能な照明器具を提供することができる。
【符号の説明】
【００５５】
１  ケース
２  プランジャ
３  給電用端子（第１の給電用端子）
４  給電用端子（第２の給電用端子）
４ｂ  給電端子片
７  代替ランプ
７２ｂ  受電用端子
Ａ  ランプソケット
【図１】
2011171225.tif 000003
【図２】
2011171225.tif 000004
【図３】
2011171225.tif 000005
【図４】
2011171225.tif 000006
【図５】
2011171225.tif 000007
【図６】
2011171225.tif 000008
【図７】
2011171225.tif 000009
【図８】
2011171225.tif 000010
【図９】
2011171225.tif 000011
【図１０】
2011171225.tif 000012